(57)【要約】【課題】セッションに対する生産性の向上が可能なセッション用システム及びセッション方法を提供する。【解決手段】無線によりネットワークに接続するセッション用端末１０及びサーバ２０とを備えるセッション用システムであって、セッション用端末１０は、セッションの開始、中断、終了及び再開を実行する入力部１５と、ユーザーに知覚出力を行う出力部１６と、セッションの開始等に関するセッション情報をサーバ２０に送信する端末制御部１０２とを有し、サーバ２０はセッションを実行するためのセッション設定情報を格納するサーバ記憶部２０３と、セッション設定情報をセッション用端末１０に送信するサーバ制御部２０２と、セッションの実行に有用な情報を生成する有用情報生成部２１０とを有し、出力部１６は、入力部１５からの入力とセッション設定情報とに基づき知覚出力を行い、サーバ２０の有用情報生成部２１０は、セッション情報に基づきセッションの実行に有用な情報を生成する。【選択図】  図３
2020088475.tif 000002
【特許請求の範囲】
【請求項１】
無線によりネットワークに接続するセッション用端末と、
前記セッション用端末に前記ネットワークを介して接続するサーバと、
を少なくとも備えるセッション用システムであって、
前記セッション用端末は、
任意のセッションの開始、中断、終了及び再開を実行する入力部と、
ユーザーに前記セッションのための知覚出力を行う出力部と、
前記セッションの開始、中断、終了及び再開に関するセッション情報を前記サーバに送信する端末制御部とを有し、
前記サーバは、
前記ユーザーがセッションを実行するためのセッション設定情報を格納するサーバ記憶部と、
前記セッション設定情報を前記セッション用端末に送信し、前記セッションの実行に有用な情報を生成するサーバ制御部とを有し、
前記セッション用端末の出力部は、前記入力部からの入力と、前記サーバから受信するセッション設定情報とに基づき知覚出力を行うものであり、
前記サーバ制御部は、前記セッション用端末から受信する前記セッション情報に基づき、前記ユーザーによる前記セッションの実行に有用な情報を生成するものであるセッション用システム。
【請求項２】
無線によりネットワークに接続するセッション用端末と、
前記セッション用端末に前記ネットワークを介して接続するサーバと、
を少なくとも備えるセッション用システムであって、
前記セッション用端末は、
任意のセッションの開始、中断、終了及び再開を実行する入力部と、
ユーザーに前記セッションのための知覚出力を行う出力部と、
前記セッションの開始、中断、終了及び再開に関するセッション情報を前記サーバに送信する端末制御部と、
前記ユーザーがセッションを実行するためのセッション設定情報を格納する記憶部とを有し、
前記サーバは、前記セッションの実行に有用な情報を生成するサーバ制御部を有し、
前記セッション用端末の出力部は、前記入力部からの入力と、前記記憶部に格納する前記セッション設定情報とに基づき知覚出力を行うものであり、
前記サーバ制御部は、前記セッション用端末から受信する前記セッション情報に基づき、前記ユーザーによる前記セッションの実行に有用な情報を生成するものであるセッション用システム。
【請求項３】
前記入力部が、物理的に押下可能なハードウェアボタン、タッチ感知ユニット、又は音声入力ユニットであり、
前記端末制御部は、前記入力部による入力を、前記セッション情報として前記サーバに送信する請求項１又は２に記載のセッション用システム。
【請求項４】
前記セッション用端末は、前記セッション情報を格納する記憶部を有しており、
前記端末制御部は、前記記憶部に格納されている前記セッション情報を前記サーバに送信するものである請求項１に記載のセッション用システム。
【請求項５】
前記セッション用端末の前記記憶部は、さらに前記セッション情報を格納するものであり、
前記端末制御部は、前記記憶部に格納されている前記セッション情報を前記サーバに送信するものである請求項２に記載のセッション用システム。
【請求項６】
前記セッション用端末及び前記サーバと、前記ネットワークを介して接続可能なユーザー端末をさらに備え、
前記ユーザー端末は、前記ユーザーが前記セッション用システムを用いてセッションを実行する間、前記サーバと通信可能に接続しないものであり、
前記サーバ制御部は、前記セッションの実行に有用な情報を、前記ユーザー端末に送信する請求項１〜５の何れか１項に記載のセッション用システム。
【請求項７】
前記ユーザー端末は、当該ユーザー端末の使用に関する使用情報を前記サーバに送信するものであり、
前記サーバ制御部は、前記使用情報及び前記セッション情報の少なくとも何れか１つに基づき、前記セッションの実行に有用な情報を生成するものである請求項６に記載のセッション用システム。
【請求項８】
前記セッション用端末は、無線により前記ネットワークを介して、又は前記ユーザー端末が直接受信可能な無線信号を送信して、当該ユーザー端末を遠隔制御するものである請求項６又は７に記載のセッション用システム。
【請求項９】
無線によりネットワークに接続するセッション用端末と、
前記セッション用端末に前記ネットワークを介して接続するサーバと、
を備えるセッション用システムを用いたセッション方法であって、
前記サーバは、当該サーバに格納する任意のセッションのためのセッション設定情報を、前記セッション用端末に送信し、
前記セッション用端末は、前記セッションの開始、中断、終了及び再開を実行するためのユーザーによる入力と、前記サーバから受信する前記セッション設定情報とに基づき、当該ユーザーに知覚出力を行い、
さらに、前記セッション用端末は、前記ユーザーによるセッションの終了後に、前記セッションの開始、中断、終了及び再開に関するセッション情報を前記サーバに送信し、
前記サーバは、前記セッション用端末から受信する前記セッション情報に基づき、前記ユーザーによる前記セッションの実行に有用な情報を生成するセッション方法。
【請求項１０】
無線によりネットワークに接続するセッション用端末と、
前記セッション用端末に前記ネットワークを介して接続するサーバと、
を備えるセッション用システムを用いたセッション方法であって、
前記セッション用端末は、当該セッション用端末に格納する任意のセッションのためのセッション設定情報と、当該セッションの開始、中断、終了及び再開を実行するためのユーザーによる入力とに基づき、当該ユーザーに知覚出力を行い、
さらに、前記セッション用端末は、前記ユーザーによるセッションの終了後に、当該セッションの開始、中断、終了及び再開に関するセッション情報を前記サーバに送信し、
前記サーバは、前記セッション用端末から受信する前記セッション情報に基づき、前記ユーザーによる前記セッションの実行に有用な情報を生成するセッション方法。
【請求項１１】
前記セッションの開始、中断、終了及び再開を実行するためのユーザーによる入力が、物理的に押下可能なハードウェアボタン、タッチ感知ユニット、又は音声入力ユニットを用いたものであり、
前記セッション用端末は、前記ユーザーによる入力を、前記セッション情報として前記サーバに送信する請求項９又は１０に記載のセッション方法。
【請求項１２】
前記セッション用端末は、当該セッション用端末に格納されている前記セッション情報を、前記サーバに送信する請求項９〜１１の何れか１項に記載のセッション方法。
【請求項１３】
前記セッション用システムは、前記セッション用端末及び前記サーバと、前記ネットワークを介して接続可能なユーザー端末をさらに備えており、
前記ユーザー端末は、前記ユーザーが前記セッション用システムを用いてセッションを実行する間、前記サーバと通信可能に接続せず、
さらに、前記サーバは、前記セッションの実行に有用な情報を、前記ユーザー端末に送信する請求項９〜１２の何れか１項に記載のセッション方法。
【請求項１４】
前記ユーザー端末は、当該ユーザー端末の使用に関する使用情報を前記サーバに送信し、
前記サーバは、前記使用情報及び前記セッション情報の少なくとも何れか１つに基づき、前記セッションの実行に有用な情報を生成する請求項１３に記載のセッション方法。
【請求項１５】
前記セッション用端末は、無線により前記ネットワークを介して、又は前記ユーザー端末が直接受信可能な無線信号を送信して、当該ユーザー端末を遠隔制御する請求項１３又は１４に記載のセッション方法。
【発明の詳細な説明】
【技術分野】
【０００１】
本発明は、セッション用システム及びセッション方法に関し、より詳細にはセッションの生産性の向上に寄与するセッション用システム及びセッション方法に関する。
【背景技術】
【０００２】
マルチタスクを原因とする生産性の低下については、多くの論文や著書で指摘されている。スマートフォンやパーソナルコンピュータ（以下、「ＰＣ」という。）等の電子デバイスの普及により、人はマルチタスクの罠に陥りがちである。タスクの生産性を最も阻害するのは、１つのタスクから他のタスクへの切り替えを行うときである。従って、頻繁にタスクの切り替えを行うと、生産性の低下は顕著となる。
【０００３】
この様なマルチタスクを原因とする生産性低下の問題に対し、特許文献１では、ユーザが集中してセッション（タスク）に取り組むことを可能にする物理ボタンに関する発明が提案されている。この物理ボタンは、ネットワーク接続を介してソフトウェアアプリケーションと通信することが可能であり、ユーザーによるＰＣの利用状況等を追跡したりする。
【０００４】
しかし、特許文献１に開示の物理ボタンは、基本的にBluetooth（登録商標）によりスマートフォンやＰＣ等と無線でネットワーク接続させるものである。Bluetoothは、例えば、ＷＩＦＩ（Wireless Fidelity）接続と比較して通信可能な範囲が狭いため、物理ボタンは、依然としてスマートフォン等の近くに置いて使用する必要がある。その結果、スマートフォン等の使用を控え、物理ボタンを用いてセッションに集中的に取り組もうとしても、ユーザーはスマートフォンやＰＣから物理的に遠ざけられた環境下に置かれるわけではないため、セッションへの取組みが阻害される場合がある。
【０００５】
また、特許文献１に開示の物理ボタンは、セッションのために、カウントダウンタイマーの視覚的な表示を提供するものである。カウントダウンタイマーの表示により、ユーザーは、取り組んでいるセッションの残り時間を把握することができるが、他方で、セッションへの集中した取り組みが阻害され、作業性が低下する場合がある。
【先行技術文献】
【特許文献】
【０００６】
【特許文献１】国際公開ＷＯ２０１７／００７８５５
【発明の概要】
【発明が解決しようとする課題】
【０００７】
本発明は前記問題点に鑑みなされたものであり、その目的は、セッションに対する生産性の向上が可能なセッション用システム及びセッション方法を提供することにある。
【課題を解決するための手段】
【０００８】
本発明に係るセッション用システムは、前記の課題を解決するために、無線によりネットワークに接続するセッション用端末と、前記セッション用端末に前記ネットワークを介して接続するサーバと、少なくとも備えるセッション用システムであって、前記セッション用端末は、任意のセッションの開始、中断、終了及び再開を実行する入力部と、ユーザーに前記セッションのための知覚出力を行う出力部と、前記セッションの開始、中断、終了及び再開に関するセッション情報を前記サーバに送信する端末制御部とを有し、前記サーバは、前記ユーザーがセッションを実行するためのセッション設定情報を格納するサーバ記憶部と、前記セッション設定情報を前記セッション用端末に送信し、前記セッションの実行に有用な情報を生成するサーバ制御部とを有し、前記セッション用端末の出力部は、前記入力部からの入力と、前記サーバから受信するセッション設定情報とに基づき知覚出力を行うものであり、前記サーバ制御部は、前記セッション用端末から受信する前記セッション情報に基づき、前記ユーザーによる前記セッションの実行に有用な情報を生成するものであることを特徴とする。
【０００９】
また、本発明に係るセッション用システムは、前記の課題を解決するために、無線によりネットワークに接続するセッション用端末と、前記セッション用端末に前記ネットワークを介して接続するサーバと、少なくとも備えるセッション用システムであって、前記セッション用端末は、任意のセッションの開始、中断、終了及び再開を実行する入力部と、ユーザーに前記セッションのための知覚出力を行う出力部と、前記セッションの開始、中断、終了及び再開に関するセッション情報を前記サーバに送信する端末制御部と、前記ユーザーがセッションを実行するためのセッション設定情報を格納する記憶部とを有し、前記サーバは、前記セッションの実行に有用な情報を生成するサーバ制御部を有し、前記セッション用端末の出力部は、前記入力部からの入力と、前記記憶部に格納する前記セッション設定情報とに基づき知覚出力を行うものであり、前記サーバ制御部は、前記セッション用端末から受信する前記セッション情報に基づき、前記ユーザーによる前記セッションの実行に有用な情報を生成するものであることを特徴とする。
【００１０】
前記の構成においては、前記入力部が、物理的に押下可能なハードウェアボタン、タッチ感知ユニット、又は音声入力ユニットであり、前記端末制御部は、前記入力部による入力を、前記セッション情報として前記サーバに送信することが好ましい。
【００１１】
また、前記の構成において、前記セッション用端末は、前記セッション情報を格納する記憶部を有しており、前記端末制御部は、前記記憶部に格納されている前記セッション情報を前記サーバに送信するものであることが好ましい。
【００１２】
前記の構成において、前記セッション用端末の前記記憶部は、さらに前記セッション情報を格納するものであり、前記端末制御部は、前記記憶部に格納されている前記セッション情報を前記サーバに送信するものであることが好ましい。
【００１３】
また、前記の構成において、前記セッション用端末及び前記サーバと、前記ネットワークを介して接続可能なユーザー端末をさらに備え、前記ユーザー端末は、前記ユーザーが前記セッション用システムを用いてセッションを実行する間、前記サーバと通信可能に接続しないものであり、前記サーバ制御部は、前記セッションの実行に有用な情報を、前記ユーザー端末に送信するものである。
【００１４】
さらに、前記の構成においては、前記ユーザー端末は、当該ユーザー端末の使用に関する使用情報を前記サーバに送信するものであり、前記サーバ制御部は、前記使用情報及び前記セッション情報の少なくとも何れか１つに基づき、前記セッションの実行に有用な情報を生成するものであることが好ましい。
【００１５】
さらに、前記の構成において、前記セッション用端末は、無線により前記ネットワークを介して、又は前記ユーザー端末が直接受信可能な無線信号を送信して、当該ユーザー端末を遠隔制御するものであることが好ましい。
【００１６】
本発明に係るセッション方法は、前記の課題を解決するために、無線によりネットワークに接続するセッション用端末と、前記セッション用端末に前記ネットワークを介して接続するサーバと、備えるセッション用システムを用いたセッション方法であって、前記サーバは、当該サーバに格納する任意のセッションのためのセッション設定情報を、前記セッション用端末に送信し、前記セッション用端末は、前記セッションの開始、中断、終了及び再開を実行するためのユーザーによる入力と、前記サーバから受信する前記セッション設定情報とに基づき、当該ユーザーに知覚出力を行い、さらに、前記セッション用端末は、前記ユーザーによるセッションの終了後に、前記セッションの開始、中断、終了及び再開に関するセッション情報を前記サーバに送信し、前記サーバは、前記セッション用端末から受信する前記セッション情報に基づき、前記ユーザーによる前記セッションの実行に有用な情報を生成することを特徴とする。
【００１７】
また、本発明に係るセッション方法は、前記の課題を解決するために、無線によりネットワークに接続するセッション用端末と、前記セッション用端末に前記ネットワークを介して接続するサーバと、備えるセッション用システムを用いたセッション方法であって、前記セッション用端末は、当該セッション用端末に格納する任意のセッションのためのセッション設定情報と、当該セッションの開始、中断、終了及び再開を実行するためのユーザーによる入力とに基づき、当該ユーザーに知覚出力を行い、さらに、前記セッション用端末は、前記ユーザーによるセッションの終了後に、当該セッションの開始、中断、終了及び再開に関するセッション情報を前記サーバに送信し、前記サーバは、前記セッション用端末から受信する前記セッション情報に基づき、前記ユーザーによる前記セッションの実行に有用な情報を生成することを特徴とする。
【００１８】
前記の構成においては、前記セッションの開始、中断、終了及び再開を実行するためのユーザーによる入力が、物理的に押下可能なハードウェアボタン、タッチ感知ユニット、又は音声入力ユニットを用いたものであり、前記セッション用端末は、前記ユーザーによる入力を、前記セッション情報として前記サーバに送信することが好ましい。
【００１９】
前記の構成においては、前記セッション用端末は、当該セッション用端末に格納されている前記セッション情報を、前記サーバに送信することが好ましい。
【００２０】
前記の構成において、前記セッション用システムは、前記セッション用端末及び前記サーバと、前記ネットワークを介して接続可能なユーザー端末をさらに備えており、前記ユーザー端末は、前記ユーザーが前記セッション用システムを用いてセッションを実行する間、前記サーバと通信可能に接続せず、さらに、前記サーバは、前記セッションの実行に有用な情報を、前記ユーザー端末に送信することが好ましい。
【００２１】
前記の構成においては、前記ユーザー端末は、当該ユーザー端末の使用に関する使用情報を前記サーバに送信し、前記サーバは、前記使用情報及び前記セッション情報の少なくとも何れか１つに基づき、前記セッションの実行に有用な情報を生成することができる。
【００２２】
さらに、前記の構成において、前記セッション用端末は、無線により前記ネットワークを介して、又は前記ユーザー端末が直接受信可能な無線信号を送信して、当該ユーザー端末を遠隔制御するのが好ましい。
【発明の効果】
【００２３】
本発明は、前記に説明した手段により、以下に述べるような効果を奏する。
即ち、本発明は、無線によりネットワークに接続するセッション用端末と、セッション用端末とネットワークを介して接続するサーバとを少なくとも備える。サーバは、任意のセッションのためのセッション設定情報を格納してもよく、その場合、サーバはセッション用端末にセッション設定情報を送信する。セッション用端末は、入力部を備えており、当該入力部からの入力と、サーバから送信されるセッション設定情報とに基づき知覚出力を行う。また、サーバがセッション設定情報を格納しない場合は、セッション用端末自らがセッション設定情報を格納する。そして、知覚出力は、格納しているセッション設定情報を読み出し、当該セッション設定情報と、入力部からの入力とに基づき実行する。
【００２４】
ユーザーがセッションを行う際、セッション用端末はサーバとのみネットワークを介して接続し、ユーザーが所有するスマートフォンやＰＣ等の電子デバイスと接続することはない。そのため、ユーザーはこれらの電子デバイスを物理的に遠ざけることができ、セッションへの集中的な取り組みを可能にする。またセッション用端末は、ユーザーがセッションに取り組むことにより得られる、セッションの開始、中断、終了及び再開に関するセッション情報をサーバに送信する。サーバはセッション用端末から送信されるセッション情報を受信し、そのセッション情報に基づき、ユーザーがセッションを実行する際に有用となる情報を生成する。ユーザーはセッションの実行に有用な情報を活用することで、セッションに対する生産性の向上を一層図ることができる。
【図面の簡単な説明】
【００２５】
【図１】本発明の実施の形態１に係るセッション用システムの構成を概念図である。
【図２】前記セッション用システムにおける端末のハードウェア構成を表すブロック図である。
【図３】前記セッション用端末の構成を示すブロック図である。
【図４】前記セッション用システムにおいて使用されるサーバの構成の一例を示すブロック図である。
【図５】前記セッション用システムを用いたユーザーの登録処理の流れを示すフロー図である。
【図６】前記セッション用システムにおけるセッション用端末の初期設定処理の流れを示すフロー図である。
【図７】前記セッション用システムにおけるセッション用端末の他の初期設定処理の流れを示すフロー図である。
【図８】前記セッション用システムのサーバにおけるセッションの設定処理の流れを示すフロー図である。
【図９】前記セッション用システムのセッション用端末におけるセッションの設定情処理の流れを示すフロー図である。
【図１０】前記セッション用システムのセッション用端末におけるセッション処理の流れを示すフロー図である。
【図１１】前記セッション用システムのサーバにおける有用情報の生成処理の流れを示すフロー図である。
【図１２】本発明の実施の形態２に係るセッション用端末の構成を示すブロック図である。
【図１３】前記セッション用システムにおいて使用されるサーバの構成の一例を示すブロック図である。
【図１４】前記セッション用システムのサーバにおけるセッションの設定処理の流れを示すフロー図である。
【発明を実施するための形態】
【００２６】
本発明の実施の形態に係るセッション用システム及びセッション方法について、図面を参照して以下に説明する。但し、以下に示す各実施の形態は、本発明の技術的思想を具体化するためのセッション用システム及びセッション方法を例示するものである。本発明を実施形態のセッション用システム及びセッション方法に特定することを意図するものではない。従って、特許請求の範囲に含まれるその他の実施形態のセッション用システム及びセッション方法にも等しく適用することができる。例えば、本実施の形態で例示するセッション用システム及びセッション方法におけるセッション用端末側とサーバ側との機能分散の形態は、以下に述べる場合に限られず、同様の効果や機能を果たし得る範囲において、任意の単位で機能的又は物理的に分散し、あるいは統合して構成することができる。
【００２７】
尚、本明細書において「セッション」とは、セッション用端末の入力部による入力で開始してから、再度入力部による入力で終了するまでの間、又は、セッション用端末の入力部による入力で開始してから、予めユーザーが設定した終了時間までの間における、ユーザーが行う様々な取り組みを意味する。
【００２８】
（実施の形態１）
［セッション用システム］
【００２９】
＜セッション用システムの全体構成＞
先ず、本実施の形態１に係るセッション用システムの構成の一例について、図１に基づき説明する。図１は、本実施の形態に係るセッション用システムの構成を概念図である。同図に示すように、本実施の形態のセッション用システムは、ネットワーク３０を介して、セッション用端末１０、サーバ２０、ユーザーコンピュータ４０ａ、及びユーザー携帯端末４０ｂが相互に通信可能に接続されて構成されている。尚、以下では、ユーザーコンピュータ４０ａ及びユーザー携帯端末４０ｂを、ユーザー端末４０と総称する。
【００３０】
セッション用端末１０は、無線によりネットワーク３０に通信可能に接続される。また、セッション用端末１０は、ネットワーク３０に単数又は複数が通信可能に接続させることが可能である。サーバ２０及びユーザー端末４０は、有線又は無線によりネットワーク３０に通信可能に接続される。
【００３１】
次に、セッション用端末１０について、図２に基づき説明する。図２は、セッション用端末１０のハードウェア構成を表すブロック図である。同図に示すように、セッション用端末１０は、ＣＰＵ（Central Processing Unit）１１、ＲＯＭ（Read Only Memory）１２、通信部１３、ＲＡＭ（Random Access Memory）１４、入力部１５、出力部１６、及び電源部１７を少なくとも備える。また、これらの各構成要素は、図２に示す通り、パス１８を介して相互に通信可能に接続される。
【００３２】
尚、本実施の形態では、パス１８を介して各部が相互に通信可能に接続した態様を例に挙げるが、本発明はこの態様に限定されるものではない。例えば、セッション用端末１０は、親機と複数の子機からなる、機能分離した端末であってもよい。この場合、親機と子機は、無線により相互に通信可能に接続されているのが好ましい。また、親機はＣＰＵ１１、ＲＯＭ１２、通信部１３、ＲＡＭ１４及び電源部１７を備え、各子機は通信部１３、入力部１５、出力部１６及び電源部１７を備えるのが好ましい。
【００３３】
ＣＰＵ１１は、セッション用端末１０の全体を制御するために各種演算処理等を行う。より具体的には、ＣＰＵ１１は、ＲＯＭ１２からコンピュータプログラムを読み出し、ＲＡＭ１４を作業領域に用いて実行することで、セッション用端末１０の各構成要素の動作を制御する。ＲＯＭ１２は、書き込み可能な不揮発性のメモリであって、セッション用端末１０の電源がオフにされても保持されるべき各種プログラム・各種データを格納することができる。ＲＡＭ１４は、書き込み可能な揮発性のメモリであって、実行中のプログラムやデータ等を一時的に格納することができる。
【００３４】
通信部１３は、セッション用端末１０の外部へのデータ送信の制御や外部からのデータ受信の制御を行う。これにより、通信部１３は、セッション用端末１０がＷＩＦＩ接続によりネットワーク３０を介して、サーバ２０、電気機器（詳細については後述する。）及びユーザー端末４０と通信接続するのを可能にする。また、電気機器やユーザー端末４０が無線信号を直接受信可能な場合は、当該無線信号の送信も可能にする。尚、ＷＩＦＩ接続は、ワイヤレスローカルエリアネットワークによるＷＩＦＩ接続を含む。
【００３５】
入力部１５は、ユーザーによる入力操作を受け付ける。入力部１５としては特に限定されず、物理的に押下可能なハードウェアボタン、タッチ感知ユニット、音声入力ユニットが挙げられる。入力部１５がタッチ感知ユニットである場合、当該タッチ感知ユニットとしては特に限定されず、例えばタッチ感知ディスプレイを含む表示部（図示しない）やタッチ感知の入力ボタンが挙げられる。表示部としては特に限定されず、ＣＰＵ１１の制御により画像（動画像又は静止画像）を表示することが可能な液晶ディスプレイ又は有機ＥＬ（Electro Luminescence）ディスプレイ等を例示することができる。また、音声入力ユニットとしては、ユーザーが音声信号を入力できるものであれば特に限定されず、従来公知のものを採用することができる。
【００３６】
出力部１６は、任意のセッションに基づき、ユーザーに対する知覚出力を可能にする。知覚出力とは、ユーザーに知覚させるために、セッション用端末１０の出力部１６が光、音、振動、風、匂い又はこれらの少なくとも２つを同時に出力することを意味する。出力部１６としては、より具体的には、ＬＥＤライト等、スピーカー、振動モーター、ファン等の送風装置、匂い発生装置等を例示することができる。この場合、知覚出力の方法としては、特に限定されない。例えば、光により知覚出力を行う場合、光を点滅させたり、光の色を適宜変更させるなどの方法を採用することができる。
【００３７】
電源部１７は、例えば、電源回路、充電回路及びバッテリー等を備えることができる。パッテリーを備えることで、例えば、セッション用端末１０がリアルタイムロック（ＲＴＣ）を備える場合に、当該ＲＴＣの駆動を維持することができる。その結果、セッション用端末１０がネットワーク３０に接続できない場合にも、時間情報が失われるのを防止することができる。尚、電源部１７は、有線による給電又はワイヤレス給電を行うことも可能である。
【００３８】
サーバ２０は、具体的には、ワークステーションやパーソナルコンピュータ、その他のコンピュータ装置により実現される。
【００３９】
ネットワーク３０としては、インターネットや専用回線、ＷＡＮ（Wide Area Network）、電灯線ネットワーク、無線ネットワーク、公衆回線網、携帯電話網などの種々のものを用いることができる。また、ＶＰＮなど仮想専用ネットワーク技術を用いれば、インターネットを採用した際に、セキュリティ性を向上させた通信を確立することができ好適である。
【００４０】
＜セッション用システムの詳細構成＞
次に、本実施の形態１のセッション用システムに関する詳細な構成について、図３及び図４に基づき以下に説明する。
【００４１】
１．セッション用端末
セッション用端末１０の詳細な構成について、図３に基づき説明する。図３は、セッション用端末１０の構成を示すブロック図である。同図に示すように、セッション用端末１０は、機能概念的には端末側通信制御部１０１、端末制御部１０２、及び記憶部１０３を少なくとも備える。
【００４２】
セッション用端末１０は、ＷＩＦＩ接続によりネットワーク３０を介してサーバ２０及びユーザー端末４０と双方向の通信が可能となっている。セッション用端末１０は、ユーザーがセッションに取り組む際には、ＷＩＦＩ接続によりネットワーク３０を介してサーバ２０とのみ接続する。セッション用端末１０は、ユーザーがセッションに取り組む間は、例えば、Bluetooth（登録商標）によりユーザー端末４０と接続しない。そのため、ユーザーは、ユーザー端末４０を物理的に遠ざけた環境下でセッションに取り組むことができる。これにより、ユーザーは集中してセッションに取り組むことができ、ユーザー端末４０を用いたマルチタスクを回避することができ、セッションの生産性の向上を図ることができる。
【００４３】
端末側通信制御部１０１は、ユーザーがセッション用端末１０においてユーザー登録を行う際に、サーバモード（詳細については、後述する。）でウェブページ（ユーザー登録設定画面）の生成による入出力を可能にするユーザーインターフェース手段である。端末側通信制御部１０１は、ウェブページをネットワーク３０上で転送し、ウェブブラウザでユーザー端末４０に表示させる。より詳細には、例えば、ＣＧＩ（Common Gateway Interface）スクリプトによって実現される。ＣＧＩとは、クライアントのブラウザから送信される要求に対してＷＷＷサーバ側で対応するプログラム、すなわちＣＧＩスクリプトを起動し、このプログラムで得た結果をクライアント側に返送するインタフェースである。ＣＧＩスクリプトは記憶部１０３に格納されている。インターネットに接続されたセッション用端末１０からユーザー端末４０へのＨＴＭＬ文書の伝送に際しては、プロトコルとしてＨＴＴＰ（Hypertext Transport Protocol）が採用される。
【００４４】
端末制御部１０２は、各種の処理手順等を規定したプログラム、及び所要データを格納するための内部メモリを有する。端末制御部１０２は、これらのプログラム等により、種々の処理を実行するための情報処理を行う。端末制御部１０２は、機能概念的には、初期設定受付部１０４、入力制御部１０５、出力制御部１０６、端末送信部１０７、端末受信部１０８、及びセッション制御部１０９を少なくとも備える。
【００４５】
初期設定受付部１０４は、セッション用端末１０をサーバモードで起動させ、ユーザーからの初期設定の要求を受け付ける（初期設定の詳細については、後述する。）。また、ユーザー端末４０から、ＳＳＩＤ、及びネットワーク３０への接続用のパスワードに関する情報を受信した場合は、ネットワーク３０への無線による接続を行う。さらに、後述する記憶部１０３にＳＳＩＤ等に関する情報が格納されている場合にも、当該情報に基づきネットワーク３０への無線による接続を行う。
【００４６】
入力制御部１０５は、セッションの開始、中断、終了及び再開を実行するための入力手段である。入力制御部１０５はハードウェアとしての入力部１５により実現される。入力制御部１０５は、ユーザーによりセッションの開始、中断、終了及び再開を実行するための入力がなされると、当該入力に関する情報（以下、「入力情報」という。）を記憶部１０３に格納する。ここで、「入力情報」とは、例えば、セッションの開始、中断、終了及び再開の際にユーザーが入力したときの時刻等を含む。
【００４７】
また、入力制御部１０５には、一定時間、入力状態を維持することで、出力部１６による音声出力の有無を交互に変更する機能を備えさせることができる。あるいは、セッション用端末１０の起動状態を維持しながら、セッション用端末１０を休止状態に切り替える切替手段としての機能を備えさせてもよい。尚、セッション用端末１０の休止状態とは、記憶部１０３への電力供給の状態を維持し、記憶部１０３に一時的に格納されているデータが消去されずに保持されている状態を意味する。
【００４８】
出力制御部１０６は、任意のセッションに基づいてユーザーに知覚出力を行うために、出力部１６を制御する手段である。より具体的には、出力制御部１０６は、入力部１５を用いて行ったユーザーによるセッションの開始、中断、終了及び再開を実行するための入力と、セッション設定情報とに基づいて、出力部１６に知覚出力を実行させる。また、出力制御部１０６は、ユーザー端末４０や電気機器の遠隔操作を行うために、出力部１０６を制御する手段としてもよい。この場合、出力制御部１０６は、入力部１５を用いた入力により、ユーザー端末４０等が直接受信可能な無線信号の送信を出力部１６に実行させる。ここで、「セッション設定情報」は、例えば、セッションＩＤ、セッション名、セッションの目的（例えば、資格の取得等。）、優先度、セッションの取り組み時間（セッションの目的が資格取得の場合は、取得に要する勉強予定時間）、一定期間内のセッションの実施予定回数、セッション開始時刻、セッション終了時刻、セッションの休憩（中断）時間、及び出力部１６による出力方法を項目として有する。セッション設定情報とは、セッションに関する属性やメタデータを示すセッションの属性情報であって、例示した項目以外の項目が含まれていてもよい。例えば、セッション用端末１０を、電気機器及び／又はユーザー端末４０に対する遠隔操作装置として機能させる場合には（詳細については後述する。）、これらの各種機能を遠隔操作で制御可能にする、遠隔操作に関する情報も含まれる。また、例示した項目の一部、例えば、セッションＩＤをセッション情報としてもよい。
【００４９】
出力制御部１０６が制御する知覚出力は、セッション中においては、現在のセッションの状態をユーザーに知らせることを目的とする。セッション中の知覚出力には、セッションの残り時間のユーザーへの告知、すなわち、カウントダウンのユーザーへの告知は含まれないことが好ましい。これにより、ユーザーは、残り時間を気にすることなくセッションに取り組むことができ、セッションへの取り組みに対する集中力が阻害されるのを防止し、作業効率の低下を抑制することができる。
【００５０】
また、出力制御部１０６が制御する知覚出力には、セッション設定情報がセッション用端末１０に格納される場合や、セッション情報がサーバ２０に格納される場合にも行われる（詳細については、後述する。）。
【００５１】
端末送信部１０７は、セッション情報、及び認証情報を、ネットワーク３０を介してサーバ２０に送信する手段である。セッション情報とは、セッションの開始、中断、終了及び再開に関する時刻の情報である。また、認証情報とは、ユーザーのメールアドレス、端末識別子（端末ＩＤ）及びワンタイムパスワード（詳細については、後述する。）に関する情報である。
【００５２】
端末受信部１０８は、サーバ２０及びユーザー端末４０からの各種情報を、ネットワーク３０を介して受信する手段である。尚、各種情報の詳細については後述する。
【００５３】
セッション制御部１０９は、記憶部１０３に格納されているセッション設定情報を読み出し、当該セッション設定情報に基づきセッションを実行する手段である。尚、セッション設定情報に基づくセッションの実行には、その実行中における電気機器及びユーザー端末４０の遠隔操作も含まれる。
【００５４】
記憶部１０３は、例えば、ＳＲＡＭ（Static Random Access Memory）等を用いて構成される小容量高速メモリ（例えば、キャッシュメモリ）等のストレージ手段である。記憶部１０３は、ＨＤＤやＳＳＤ等の大容量のストレージ手段を備えてもよい。記憶部１０３は、セッション情報、ユーザー情報、及びセッション設定情報等の各種情報を格納することができる。
【００５５】
２．サーバ
サーバ２０の詳細な構成について、図４に基づき説明する。図４は、本実施の形態に係るセッション用システムにおいて使用されるサーバ２０の構成の一例を示すブロック図である。
【００５６】
サーバ２０の機能構成としては、図４に示すように、ユーザーインターフェース部２０１、サーバ制御部２０２、及び各種のデータベースを格納するサーバ記憶部２０３を少なくとも備える。
【００５７】
前記ユーザーインターフェース部２０１は、ウェブページの生成による入出力を可能にするものであり、当該ウェブページをネットワーク３０上で転送し、ウェブブラウザでユーザー端末４０に表示させる。より詳細には、例えば、ＣＧＩスクリプトによって実現される。ＣＧＩとは、クライアントのブラウザから送信される要求に対してＷＷＷサーバ側で対応するプログラム、すなわちＣＧＩスクリプトを起動し、このプログラムで得た結果をクライアント側に返送するインタフェースである。ＣＧＩスクリプトは図示しないメモリに格納されている。インターネットに接続されたサーバ２０からユーザー端末４０へのＨＴＭＬ文書の伝送に際しては、プロトコルとしてＨＴＴＰが採用される。
【００５８】
サーバ制御部２０２はメモリに格納されているプログラムによる命令を行う。サーバ制御部２０２は、具体的には、ユーザー端末４０からのユーザー登録、セッション用端末１０を用いるための初期設定、種々のセッションに関する設定登録、セッションの実行に有用な情報の生成など、本実施の形態に係るセッション方法を実現する。
【００５９】
サーバ制御部２０２は、機能概念的には、ユーザー登録受付部２０４と、セッション設定部２０５と、ワンタイムパスワード等発行部２０６と、ワンタイムパスワード等判定部２０７と、受信部２０８と、送信部２０９と、有用情報生成部２１０とを少なくとも備える。
【００６０】
ユーザー登録受付部２０４は、ユーザー端末４０からのユーザー登録を受け付ける手段である。
【００６１】
セッション設定部２０５は、ユーザー端末４０から、ユーザーが取り組むセッションに関する各種の設定を受け付ける手段である。設定は、具体的には、セッションの取り組み時間や休憩時間、セッション用端末１０の出力部１５が行う知覚出力の方法等について行われる。
【００６２】
ワンタイムパスワード等発行部２０６は、新規登録したユーザーに対して、ワンタイムパスワード、セッション用端末１０の端末ＩＤ及びトークンを発行する手段である。ワンタイムパスワード等発行部２０６は、発行したワンタイムパスワード等を、ユーザー情報と対応付けてユーザー情報データベース２１１に格納させる。ここで、ワンタイムパスワード及びトークンのユーザー情報データベース２１１への格納は、当該ワンタイムパスワードをハッシュ関数によりハッシュ化された値、すなわちハッシュ値で行うのが好ましい。
【００６３】
ワンタイムパスワードは、新規登録したユーザーと、当該ユーザーが所有するセッション用端末１０との照合に用いられる。ワンタイムパスワードは、ワンタイムパスワード等発行部２０６が生成する度に異なる。また、一度使用されると、使用後のワンタイムパスワードは無効となる。さらに、ワンタイムパスワードは、未使用であっても、一定の期間経過後に無効となるものであってもよい。尚、一定の期間とは、例えば、サーバ２０がワンタイムパスワードを発行した後、サーバ２０が当該ワンタイムパスワードの認証を行うまでの期間を意味する（ワンタイムパスワードの認証とは、より具体的には、ワンタイムパスワード等判定部２０７による判定処理を意味する。その詳細については後述する。）。
【００６４】
トークンは、サーバ２０がセッション用端末１０から送信されてくるセッション情報を受信する際に、当該サーバ２０に登録されている当該セッション用端末１０のユーザー情報との照合のために用いられる。
【００６５】
端末ＩＤは、新規登録したユーザーが所有するセッション用端末１０に固有のものである。
【００６６】
ワンタイムパスワード等判定部２０７は、セッション用端末１０から送信されるワンタイムパスワードと、ユーザー情報データベース２１１に格納されているワンタイムパスワードとの照合を行う。そして、ワンタイムパスワード等判定部２０７は、両者が一致する場合には承認情報を生成し、一致しない場合には不承認情報を生成する。また、セッション用端末１０からトークンが送信される場合は、当該トークンと、ユーザー情報データベース２１１に格納されているトークンとの照合も行う。そして、両者が一致する場合にはトークンと共に送信されてくるセッション情報をセッション情報データベース２１２に格納し、一致しない場合には不適合情報を生成する。
【００６７】
受信部２０８は、セッション用端末１０から送信されるメールアドレス、ワンタイムパスワード、トークン、端末ＩＤ及びセッション情報を受信する手段である。
【００６８】
送信部２０９は、承認情報又は不承認情報、トークン、端末ＩＤ、セッション設定情報、セッション情報のセッション情報データベースへの格納に関する格納通知情報、及びトークンの不適合情報をセッション用端末１０に送信する手段である。
【００６９】
有用情報生成部２１０は、セッション用端末１０から受信するセッション情報に基づき、ユーザーによるセッションの実行に有用な情報を生成する手段である。有用な情報としては、例えば、セッション用端末１０の累積実行時間、セッション毎の累積実行時間、セッション用端末１０の使用頻度、セッションの生産量指数又は効率指数等が挙げられる。ここで、セッションの生産量指数又は効率指数とは、例えば、セッションの実行に要する一般的な（累積）時間に基づく、ユーザーが実行したセッションの（累積）時間の指数を意味する。あるいは、一定期間内におけるセッションの一般的な実施回数に基づく、ユーザーが実施したセッションの実施回数の指数を意味する。尚、セッションの実行に要する（累積）時間や、一定期間内におけるセッションの実施回数等については、一般的な情報を用いてもよく、あるいは、サーバ２０に蓄積されたデータから、統計的に導かれた値を用いてもよい。これらの情報は、セッション設定情報に含めることができる。
【００７０】
サーバ記憶部２０３は、例えば、その内部に複数の記憶領域が定義されており、ユーザー情報データベース２１１、セッション情報データ２１２、セッション設定情報データベース２１３、及び使用情報データベース２１４を備えている。このサーバ記憶部２０３としては、保存用のデータやプログラムを記憶するためのハードディスク等の記憶媒体を使用することができる。
【００７１】
ユーザー情報データベース２１１は、ユーザーのユーザー情報を格納する。ユーザー情報には、例えば、ユーザーの氏名、郵便番号や住所等の所在地を示す所在地情報、年齢、電話番号、ネットワーク３０への接続用のパスワード、ユーザーのメールアドレス、トークン、ユーザー端末４０を識別するための端末識別子、ワンタイムパスワード、及びセッションの実行に有用な情報が含まれる。端末識別子としては特に限定されず、例えば、数字、文字、記号又はこれらの組合せを識別子として使用することができる。尚、前記パスワードの格納は、前述のトークン及びワンタイムパスワードの場合と同様、ハッシュ関数によりハッシュ化された値（ハッシュ値）で行われるのが好ましい。
【００７２】
セッション情報データ２１２は、セッション用端末１０から受信するセッション情報を格納する。セッション情報データ２１２に格納されるセッション情報は、ユーザー情報データベース２１１に格納されるユーザー情報と対応付けられる。
【００７３】
セッション設定情報データベース２１３は、セッション設定情報を格納する。セッション設定情報データベース２１３に格納されるセッション設定情報は、ユーザー情報データベース２１１に格納されるユーザー情報及びセッション情報データ２１２に格納されるセッション情報と対応付けられる。
【００７４】
使用情報データベース２１４は、ユーザー端末４０の使用に関する使用情報を格納する。使用情報データベース２１４に格納される使用情報は、ユーザー情報データベース２１１に格納されるユーザー情報と対応付けられる。
【００７５】
３．ユーザー端末
次に、ユーザー端末４０の詳細な構成について説明する。
ユーザー端末４０は、当該ユーザー端末４０の使用に関する使用情報をサーバ２０に送信する使用情報送信部を備えさせてもよい。この場合、使用情報は、使用情報データベース２１４に格納される。ここで、「使用情報」は、ユーザー端末４０の累積使用時間、使用頻度等を含む。
【００７６】
［セッション用システムを用いた各種処理方法］
次に、本実施の形態に係るセッション用システムを用いた各種処理方法について、以下に説明する。尚、セッション方法に対応する各種の動作は、セッション用端末１０においては、その記憶部１０３が前記各構成部１０４〜１０９の機能を実現すべく備えるプログラムによって実現される。また、サーバ２０においては、そのサーバ記憶部２０３が前記各構成部２０４〜２１０の機能を実現すべく備えるプログラムによって実現される。そして、これのプログラムは、以下に説明される各種の動作を行うためのコードから構成されており、前記構成各部の機能を実装したものとなる。
【００７７】
＜ユーザー登録＞
先ず、ユーザーのユーザー登録処理について、図５に基づき説明する。図５は、ユーザーの登録処理の流れを示すフロー図である。同図に示すように、ユーザーは、本実施の形態に係るセッション用システムを利用するために、まずユーザー端末４０からネットワーク３０を介してサーバ２０にアクセスし、利用者としての登録を行なう。ユーザーがユーザー端末４０からネットワーク３０を介してサーバ２０へアクセスすると（Ｓ１０１）、サーバ２０のユーザー登録受付部２０４は、ホームページを表示するためのＨＴＭＬ文書のデータを、ユーザー端末４０に送信する。これにより、ユーザー端末４０のディスプレイ等には、ユーザーのセッションを支援するサービスを提供するためのホームページが表示される。
【００７８】
前記ホームページは、例えば、ユーザーの新規登録ページ、登録済みのユーザーのログインページ、ユーザーがセッション又はユーザー情報に関する各種設定や変更を行うための設定・変更ページ、及びセッションの実行に有用な情報を表示するページ等により構成される。また、前記ホームページは、機能等に応じてさらに他のページが追加されていてもよい。
【００７９】
ユーザーは、前記ホームページからユーザーの新規登録ページに移動し、ユーザー端末４０に備えられているキーボードやマウス等の入力手段を用いて、当該新規登録ページでユーザー情報に関する事項の入力を行う（Ｓ１０１）。ユーザー情報としては、ユーザー名の他、ユーザーのメールアドレス等が挙げられる。また、新規登録ページには、ユーザー端末４０からの入力事項に関する確認画面を表示させる機能が付加されており、入力後、ユーザー登録受付部２０４はユーザー端末４０に入力事項の確認画面を送信する（Ｓ１０２）。ユーザーが入力事項を確認し入力漏れや誤記等がなければ、送信ボタンを選択することにより、ユーザー情報のデータがユーザー登録受付部２０４に送信される。サーバ２０のユーザー登録受付部２０４は、新規登録のユーザー情報を受け付けると、利用者識別子を付与した上で、ユーザー情報データベース２１１に利用者識別子を含むユーザー情報を格納する（Ｓ１０３）。
【００８０】
続いて、サーバ２０のワンタイムパスワード等発行部２０６は、ワンタイムパスワードを発行し（Ｓ１０４）、さらにワンタイムパスワードをユーザー情報データベース２１１に格納する（Ｓ１０５）。また、発行されたワンタイムパスワードは、ユーザーのメールアドレスに送信されたり、又は前記ホームページに表示させる様にしてユーザーに知らせる。これにより、サーバ２０におけるユーザー登録処理が完了する。
【００８１】
＜セッション用端末の初期設定＞
次に、セッション用端末１０の初期設定処理について、図６に基づき説明する。図６は、セッション用端末１０の初期設定処理の流れを示すフロー図である。
【００８２】
セッション用端末１０の初期設定処理は、ユーザーによるサーバ２０のユーザー登録の後に行われる。すなわち、図６に示すように、先ず、セッション用端末１０をサーバモードで起動する（Ｓ２０１）。サーバモードとは、セッション用端末１０が、初期設定のリクエストを受け付ける状態を意味する。セッション用端末１０のサーバモードでの起動は、前述の通り、初期設定受付部１０４による実行により可能である。そして、初期設定受付部１０４によるサーバモードの起動は、例えば、入力部１５での入力状態を維持しながらセッション用端末１０の電源を入れた場合、セッション用端末１０が初めて起動する場合、又はセッション用端末１０にセッション設定情報等の各種情報が格納されていない場合に実行されるようにしてもよい。
【００８３】
次に、ユーザー端末４０からネットワーク３０を介してセッション用端末１０にアクセスすると（Ｓ２０２）、初期設定受付部１０４は、初期設定画面ページを表示するためのＨＴＭＬ文書のデータをネットワーク３０上で転送し、ユーザー端末４０の表示画面に送信する（Ｓ２０４）。これにより、ユーザー端末４０のディスプレイ等には、初期設定を行うための初期設定画面ページが表示される（Ｓ２０５）。
【００８４】
この初期設定画面ページにおいては、ユーザーが、ユーザー端末４０に備えられているキーボードやマウス等の入力手段を用いて、当該初期設定画面ページで、ＳＳＩＤ及びＷＩＦＩ接続を行うためのパスワードの入力を行う（Ｓ２０６）。その後、ユーザー端末４０はセッション用端末１０に、ＳＳＩＤ等の情報を送信する（Ｓ２０７）。セッション用端末１０の端末受信部１０８は、ＳＳＩＤ及びＷＩＦＩ接続のためのパスワードに関する情報を受信すると（Ｓ２０８）、これらの情報が一致するか否か判定し（Ｓ２０９）、一致する場合はＷＩＦＩ接続を行う（Ｓ２１０）。受信されたＳＳＩＤ及びＷＩＦＩ接続のためのパスワードに関する情報は、記憶部１０３に格納される。そのため、セッション用端末１０が、再度ＷＩＦＩ接続によりネットワーク３０に接続する際には、記憶部１０３に格納されているパスワード等に関する情報を記憶部１０３から読み出すことで、容易に実行することができる。尚、ＳＳＩＤ及びＷＩＦＩ接続のためのパスワードに関する情報が一致しない場合は、再度、初期設定画面ページで、ＳＳＩＤ及びＷＩＦＩ接続を行うためのパスワードの入力を行う。
【００８５】
また、初期設定画面ページでは、ユーザー登録の際に発行されたワンタイムパスワードと、ユーザーのメールアドレスの入力を行う（Ｓ２１１）。その後、ユーザー端末４０はセッション用端末１０に、ワンタイムパスワード及びメールアドレスの情報を送信する（Ｓ２１２）。セッション用端末１０の端末受信部１０８は、ワンタイムパスワード及びメールアドレスの情報を受信すると（Ｓ２１３）、さらに端末送信部１０７が、ＷＩＦＩ接続でネットワーク３０を介して接続したサーバ２０にこれらの情報を送信する（Ｓ２１４）。
【００８６】
続いて、サーバ２０の受信部２０８は、端末送信部１０７からワンタイムパスワード及びメールアドレスの情報を受信する（Ｓ２１５）。ワンタイムパスワード等判定部２０７は、受信部２０８で受信したワンタイムパスワードの情報を、ユーザー情報データベース２１１に格納されているワンタイムパスワードと一致するか否か判定する（Ｓ２１６）。尚、ユーザー情報データベース２１１に格納されているワンタイムパスワードがハッシュ化されている場合は、受信部２０８で受信したワンタイムパスワードをハッシュ化した後に、ハッシュ値同士が一致するか否かを判定して行うのが好ましい。
【００８７】
尚、ワンタイムパスワードが一致するか否かを判定する前に、ワンタイムパスワード等判定部２０７が、ワンタイムパスワードの発行から一定時間が経過しているか否か確認するようにしてもよい。この場合、セッション用端末１０の端末送信部１０７には、ワンタイムパスワードが無効であることを示す情報をサーバ２０に送信させる。そして、当該情報をサーバ２０の受信部２０８に受信させた後、ワンタイムパスワード等発行部２０６で再度ワンタイムパスワードを再発行させるように設定する。
【００８８】
続いて、ワンタイムパスワード等判定部２０７が、ワンタイムパスワードが一致していると判定した場合、ワンタイムパスワード等発行部２０６が端末ＩＤを発行する（Ｓ２１７）。さらに、発行された端末ＩＤの情報は、ユーザー情報と対応付けて、ユーザー情報データベース２１１に格納される（Ｓ２１７）。
【００８９】
続いて、ワンタイムパスワード等発行部２０６はトークンも発行し、当該トークンの情報を、ユーザー情報データベース２１１にユーザー情報と対応付けて格納する（Ｓ２１８）。ユーザー情報データベース２１１への格納は、トークンの情報をハッシュ関数によりハッシュ化して行うのが好ましい。
【００９０】
さらに、ワンタイムパスワード等発行部２０６は、ワンタイムパスワードが一致したことを示す承認情報を生成する。承認情報が生成されると、送信部２０９は、ユーザー情報データベース２１１に格納されているトークン及び端末ＩＤと共に、承認情報をセッション用端末１０に送信する（Ｓ２１９）。また、ワンタイムパスワード等判定部２０７が、ワンタイムパスワードは一致していないと判定した場合、ワンタイムパスワード等発行部２０６は、ワンタイムパスワードが一致しなかったことを示す不承認情報を生成する。
【００９１】
サーバ２０の送信部２０９から送信された承認情報、トークン及び端末ＩＤ、又は不承認情報は、端末受信部１０８で受信される（Ｓ２２０）。そして、端末受信部１０８が受信した情報が、承認情報を含むものである場合は、当該承認情報と共に送信されてきたトークン及び端末ＩＤは記憶部１０３に格納される（Ｓ２２１、Ｓ２２２）。記憶部１０３に格納されるトークンは、ハッシュ化されたものではない。
【００９２】
さらに、初期設定受付部１０４は、初期設定画面ページに承認されたことを示す認証結果を表示するためのＨＴＭＬ文書データをネットワーク３０上で転送し（Ｓ２２３）、ユーザー端末４０の表示画面に送信する（Ｓ２２４）。尚、端末受信部１０８が受信した情報が、不承認情報である場合には、再度、初期設定画面ページにて、ワンタイムパスワード及びユーザーのメールアドレスの入力を促す様にするのが好ましい。
【００９３】
以上により、セッション用端末１０の初期設定処理が終了する。
【００９４】
尚、以上においては、ワンタイムパスワード受信後（Ｓ２１５）のサーバ２０において、ワンタイムパスワード等発行部２０６が端末ＩＤを発行する場合（Ｓ２１７）を例にして説明した。しかし、本発明はこの態様に限定されるものではない。例えば、予めセッション用端末１０の記憶部１０３が、当該セッション用端末１０に固有の端末ＩＤの情報を格納しているようにしてもよい。この場合、図７に示すように、ユーザー端末４０からメールアドレス及びワンタイムパスワードを受信（Ｓ２１３）したセッション用端末１０（の端末送信部１０７）は、当該メールアドレス及びワンタイムパスワードと共に、記憶部１０３に格納されている端末ＩＤの情報をサーバ２０に送信する（Ｓ２１４’）。尚、図７は、セッション用端末１０の他の初期設定処理の流れを示すフロー図である。
【００９５】
サーバ２０の受信部２０８は、端末ＩＤ、ワンタイムパスワード及びメールアドレスの情報を受信すると（Ｓ２１５’）、続いて、ワンタイムパスワード等判定部２０７が、ユーザー情報データベース２１１に格納されているワンタイムパスワードと一致するか否か判定する（Ｓ２１６）。
【００９６】
ワンタイムパスワード等判定部２０７が、ワンタイムパスワードが一致していると判定した場合、端末ＩＤの情報は、ユーザー情報と対応付けて、ユーザー情報データベース２１１に格納される（Ｓ２１７’）。
【００９７】
続いて、ワンタイムパスワード等発行部２０６はトークンを発行し、当該トークンの情報を、ユーザー情報データベース２１１にユーザー情報と対応付けて格納する（Ｓ２１８）。ユーザー情報データベース２１１への格納は、トークンの情報をハッシュ関数によりハッシュ化して行うのが好ましい。
【００９８】
さらに、ワンタイムパスワード等発行部２０６は、ワンタイムパスワードが一致したことを示す承認情報を生成する。承認情報が生成されると、送信部２０９は、ユーザー情報データベース２１１に格納されているトークンと共に、承認情報をセッション用端末１０に送信する（Ｓ２１９’）。尚、ユーザー情報データベース２１１に格納されているトークンがハッシュ化されている場合でも、セッション用端末１０にはハッシュ化されていないトークンを送信するのが好ましい。また、ワンタイムパスワード等判定部２０７が、ワンタイムパスワードは一致していないと判定した場合、ワンタイムパスワード等発行部２０６は、ワンタイムパスワードが一致しなかったことを示す不承認情報を生成する。
【００９９】
サーバ２０の送信部２０９から送信された承認情報及びトークン、又は不承認情報は、端末受信部１０８で受信される（Ｓ２２０’）。そして、端末受信部１０８が受信した情報が、承認情報を含むものである場合、当該承認情報と共に送信されてきたトークンは、記憶部１０３に格納される（Ｓ２２１、Ｓ２２２’）。さらに、初期設定受付部１０４は、ユーザー端末４０のディスプレイ等に表示されている初期設定画面ページにて、承認されたことを示す認証結果を表示する（Ｓ２２３、Ｓ２２４）。尚、端末受信部１０８が受信した情報が、不承認情報である場合には、再度、初期設定画面ページにて、ワンタイムパスワード及びユーザーのメールアドレスの入力を促す様にするのが好ましい。
【０１００】
＜セッションの設定＞
次に、セッションの設定処理について、図８及び図９に基づき説明する。図８は、サーバ２０におけるセッションの設定処理の流れを示すフロー図である。図９は、セッション用端末１０におけるセッションの設定情処理の流れを示すフロー図である。
【０１０１】
図８に示すように、先ず、ユーザーは、ユーザー端末４０からネットワーク３０を介してサーバ２０にアクセスし、セッションの設定登録を行う。ユーザーがユーザー端末４０からネットワーク３０を介してサーバ２０へアクセスすると（Ｓ３０１）、サーバ２０のセッション設定部２０５は、ホームページを表示するためのＨＴＭＬ文書のデータを、ユーザー端末４０に送信する。これにより、ユーザー端末４０のディスプレイ等には、セッションの設定を行うためのセッション設定画面ページが表示される。
【０１０２】
セッション設定画面ページでは、セッション設定情報に関する事項が入力可能となる様に表示される。セッション設定情報の詳細については、前述の通りである。入力後、セッション設定部２０５はユーザー端末４０に入力事項の確認画面を送信する（Ｓ３０２）。ユーザーが入力事項を確認し入力漏れや誤記等がなければ、送信ボタンを選択することにより、セッション設定情報のデータが受信部２０８で受信される。サーバ２０のセッション設定部２０５は、セッション設定情報を受け付けると、ユーザー情報と対応付けて、セッション設定情報データベース２１３に格納する（Ｓ３０３）。これにより、サーバ２０でのセッションの設定が完了する。
【０１０３】
続いて、サーバ２０で登録したセッション設定情報をセッション用端末１０に登録する。具体的には、図９に示すように、先ず、セッション用端末１０の端末送信部１０７が、トークン及び端末ＩＤの情報をサーバ２０に送信する（Ｓ３０４）。
【０１０４】
端末送信部１０７から送信されたトークン及び端末ＩＤの情報は、サーバ２０の受信部２０８で受信され（Ｓ３０５）、続いて、ワンタイムパスワード等判定部２０７が、ユーザー情報データ２１１に格納されているトークンと一致するか否かを判定する（Ｓ３０６）。ワンタイムパスワード等判定部２０７が、トークンが一致すると判定した場合、ワンタイムパスワード等判定部２０７はユーザー情報と対応付けて格納されているセッション設定情報をセッション設定情報データベース２１３から読み出す（Ｓ３０７）。その一方、ワンタイムパスワード等判定部２０７が、トークンが一致しないと判定した場合は、不適合情報を生成する。尚、ユーザー情報データベース２１１に格納されているトークンがハッシュ化されている場合は、受信部２０８で受信したトークンをハッシュ化した後に、ハッシュ値同士が一致するか否かを判定して行うのが好ましい。
【０１０５】
さらに、送信部２０９は、セッション設定情報データベース２１３から読み出したセッション設定情報、又は不適合情報をセッション用端末１０に送信する。セッション用端末１０では、端末受信部１０８が、サーバ２０から送信されるセッション設定情報又は不適合情報を受信する（Ｓ３０９）。ここで、端末受信部１０８がセッション設定情報を受信した場合は、セッション制御部１０９は、当該セッション設定情報を記憶部１０３に格納させる（Ｓ３１２）。続いて、セッション制御部１０９は、セッション設定情報がセッション用端末１０に格納されたことをユーザーに通知するため、出力制御部１０６に対し出力を命令する。出力制御部１０６は、この命令に応じて出力部１５に知覚出力を実行させる（Ｓ３１３）。一方、端末受信部１０８が不適合情報を受信した場合は、そのままセッション用端末１０へのセッション設定情報の格納を終了する。
【０１０６】
＜セッション＞
次に、セッション処理について、図１０に基づき説明する。図１０は、セッション用端末１０におけるセッション処理の流れを示すフロー図である。
【０１０７】
図１０に示すように、セッション処理は、入力部１５による入力で開始される（Ｓ４０１）。入力部１５により入力されると、セッション制御部１０９は、記憶部１０３に格納されているセッション設定情報を読み出す。また、セッション制御部１０９は、入力部１５により入力された時刻を、セッション情報として記憶部１０３に格納させる。セッション設定情報において、セッションの開始から所定時間の経過後に、セッションを中断することが設定されている場合は、セッション制御部１０９は出力制御部１０６に対し出力を命令する。出力制御部１０６は、この命令に応じて、出力部１５に知覚出力を実行させ、ユーザーに通知１を行う（Ｓ４０２）。この通知により、ユーザーは、セッションを中断して休憩を行う時間になったことを知覚することができる。
【０１０８】
さらに、通知１を行ってから所定時間の経過後に、セッションを再開することが設定されている場合は、セッション制御部１０９は再び出力制御部１０６に対し出力を命令する。出力制御部１０６は、この命令に応じて、出力部１５に知覚出力を実行させ、ユーザーに通知２を行う（Ｓ４０３）。この通知により、ユーザーは、セッションを再開する時間になったことを知覚することができる。
【０１０９】
入力部１５による入力後、セッション制御部１０９が、セッション設定情報により設定されたセッション時間を経過していると判断した場合は、セッションを終了する。さらに、セッション制御部１０９は、セッションの終了時刻をセッション情報として、記憶部１０３に格納させる（Ｓ４０６）。
【０１１０】
一方、セッション制御部１０９が、セッション時間を経過していないと判断した場合は、前記通知１及び通知２が繰り返される（Ｓ４０５）。但し、ユーザーが入力部１５により再び入力を行った場合、セッション制御部１０９はセッション終了させ、入力部１５により入力された時刻をセッション情報として、記憶部１０３に格納させる（Ｓ４０６）。
【０１１１】
尚、セッション用端末１０は、セッションの終了後に休止状態に切り替わるように動作させてもよい。より具体的には、セッション制御部１０９が、入力部１５により入力された時刻をセッション情報として記憶部１０３に格納させた後、入力制御部１０５がセッション用端末１０を休止状態に切り替えるようにしてもよい。
【０１１２】
以上に説明したセッション処理においては、セッション用端末１０がユーザー端末４０に接続することなく実行される。一方、セッション用端末１０は、ＷＩＦＩ接続によりネットワーク３０を介してサーバ２０と通信可能に接続させることができる。但し、セッション用端末１０は記憶部１０３にセッション設定情報を格納しているため、サーバ２０と接続しなくとも単独でセッションの実行を可能にする。
【０１１３】
また、ユーザーがセッションに取り組む際には、セッション用端末１０を、電気機器及び／又はユーザー端末４０の遠隔操作が可能な遠隔操作装置として機能させてもよい。この場合、遠隔操作の方法としては、例えば、入力部１５からの特定の入力操作により、セッション用端末１０をＷＩＦＩ接続によりネットワーク３０を介して電気機器及びユーザー端末４０に接続し、遠隔操作する方法や、電気機器及びユーザー端末４０の受信が可能な無線信号を直接送信して遠隔操作する方法が挙げられる。前者の場合、セッション制御部１０９は、遠隔操作に関するセッション設定情報を記憶部１０３から読み出す。さらに、セッション制御部１０９は、端末送信部１０７に対し、ＷＩＦＩ接続でネットワーク３０を介して接続した電気機器及び／又はユーザー端末４０に、遠隔操作に関するセッション設定情報を送信するよう命令する。また、後者の場合、セッション制御部１０９は、遠隔操作に関するセッション設定情報を記憶部１０３から読み出した後、端末送信部１０７に対し無線信号を送信するよう命令する。尚、前者の場合、電気機器及びユーザー端末４０は、ＷＩＦＩ接続によりネットワーク３０に通信可能に接続できるものであることを要する。
【０１１４】
セッション用端末１０が遠隔操作可能な電気機器としては、例えば、照明器具や空気調節装置等が挙げられる。照明器具の場合、例えば、当該照明器具が照射する照明光を、ユーザーがセッションに一層集中して取り組める色に遠隔操作で調節できる。また、空気調節装置の場合、当該空気調節装置の設定温度を変更させ、ユーザーがセッションに一層集中して取り組める温度に遠隔操作で調節できる。
【０１１５】
セッション用端末１０が遠隔操作可能なユーザー端末４０としては特に限定されず、ユーザーコンピュータ４０ａとしてのパーソナルコンピュータ等や、ユーザー携帯端末４０ｂとしてのスマートフォン等が挙げられる。スマートフォンの場合、例えば、当該スマートフォンが備える通知機能を停止させる等の遠隔制御を可能にする。これにより、ユーザーのセッションへの取り組みが、スマートフォンが持つ通知機能により阻害されるのを防止することができる。
【０１１６】
＜セッション情報に基づく有用情報の生成＞
次に、セッション情報に基づく有用情報の生成処理について、図１１に基づき説明する。図１１は、サーバ２０における有用情報の生成処理の流れを示すフロー図である。
【０１１７】
図１１に示すように、セッションを終了したセッション用端末１０の端末送信部１０７は、トークン、セッション情報及び端末ＩＤをサーバ２０に送信する（Ｓ５０１）。サーバ２０の受信部２０８は、当該トークン等を受信し、さらにワンタイムパスワード等判定部２０７がユーザー情報データベース２１１に格納されているトークンと一致するか否か判断する（Ｓ５０３）。
【０１１８】
ワンタイムパスワード等判定部２０７が、トークンが一致していると判断した場合、セッション情報をセッション情報データベース２１２に格納させる（Ｓ５０４）。さらに、ワンタイムパスワード等判定部２０７はセッション情報がセッション情報データベース２１２に格納されたことを通知する格納通知情報を生成する（Ｓ５０５）。一方、ワンタイムパスワード等判定部２０７が、トークンが一致しないと判断した場合には、当該ワンタイムパスワード等判定部２０７は不適合情報を生成する（Ｓ５０５）。
【０１１９】
そして、送信部２０９は、格納通知情報又は不適合情報をセッション用端末１０に送信する（Ｓ５０６）。セッション用端末１０の端末受信部１０８が格納通知情報を受信した場合、セッション制御部１０９は記憶部１０３に格納されているセッション情報を削除する（Ｓ５０８）。さらに、セッション制御部１０９は、出力制御部１０６に対し出力を命令する。出力制御部１０６は、この命令に応じて、出力部１５に知覚出力を実行させ、ユーザーに通知を行う（Ｓ５０９）。この通知により、ユーザーは、セッション情報がサーバ２０のセッション情報データベース２１２に格納されたことを認識することができる。一方、端末受信部１０８が不適合情報を受信した場合、セッション制御部１０９は、出力制御部１０６に対し出力を命令することなく終了する。あるいは、セッション制御部１０９は、出力制御部１０６に対し、格納通知情報を受信した場合とは異なる知覚出力を実行させるようにしてもよい。
【０１２０】
セッション情報データベース２１２に格納されたセッション情報は、サーバ２０の有用情報生成部２１０により読み出される。さらに、有用情報生成部２１０により、ユーザー情報、セッション情報及びセッション設定情報に基づき、ユーザーによるセッションの実行に有用な情報が生成される（Ｓ５１０）。
【０１２１】
尚、有用情報生成部２１０による読み出しは、使用情報データベース２１４に格納されたユーザー端末４０に関する使用情報に対して行ってもよい。この場合、有用な情報の生成は、当該使用情報と、セッション情報及びセッション設定情報とに基づき行われる。また、有用な情報の生成には、サーバ２０等に統計情報として蓄積された使用可能な全データ（例えば、他のユーザーの使用情報及びセッション情報等）に基づき算出した統計データと、ユーザー情報を加えてもよい。
【０１２２】
生成された有用な情報は、ユーザー端末４０を用いてサーバ２０にアクセスすることで閲覧可能である。具体的には、サーバ２０のユーザー登録受付部２０４が、ユーザーの新規登録ページと共に、セッションの実行に有用な情報を表示するページ（以下、「有用情報表示ページ」という。）も、ユーザー端末４０のディスプレイ等に表示させることで閲覧を可能にする。尚、ユーザーが複数存在する場合に、特定ユーザーのみが、有用情報表示ページにおいて、他のユーザーのユーザー情報やセッション情報、セッション設定情報、セッションの実行に有用な情報等を閲覧できるようにしてもよい。
【０１２３】
（実施の形態２）
次に、本発明の実施の形態２について、以下に説明する。
本実施の形態２は、実施の形態１と比較して、セッション用端末が、当初から記憶部に格納しておいたセッション設定情報と、セッションを実行するためのユーザーによる入力とに基づき、当該ユーザーに知覚出力を行う点が大きく異なる。このような構成によっても、ユーザーのセッションに対する生産性の向上を図ることができる。
【０１２４】
［セッション用システムの全体構成及び詳細構成］
本実施の形態２に係るセッション用システムについて、図１２及び図１３に基づき以下に説明する。図１２は、実施の形態２に係るセッション用端末の構成を示すブロック図である。図１３は、実施の形態２に係るセッション用システムにおいて使用されるサーバの構成の一例を示すブロック図である。尚、以下の説明では、実施の形態１と同一の機能・構成を有するものについては、同一の符号を付してその詳細を省略する。
【０１２５】
本実施の形態２に係るセッション用システムは、実施の形態１の場合と同様、ネットワーク３０を介して、セッション用端末１０’、サーバ２０’、及びユーザー端末４０が相互に通信可能に接続された構成を有する。
【０１２６】
但し、本実施の形態のセッション用端末１０’は、図１２に示すように、端末制御部１０２’が端末セッション設定部１１０を備える点で、実施の形態１と異なる。また、その記憶部１０３’がセッション設定情報を格納する点でも、実施の形態１と異なる。
【０１２７】
ここで、端末セッション設定部１１０は、ユーザー端末４０から、ユーザーが取り組むセッションに関する各種の設定を受け付ける手段である。設定は、具体的には、セッションの取り組み時間や休憩時間、セッション用端末１０’の出力部１５が行う知覚出力の方法等について行われる。
【０１２８】
また、本実施の形態のサーバ２０’は、図１３に示すように、そのサーバ制御部２０２’がセッション設定部を備えない点で、実施の形態１と異なる。また、そのサーバ記憶部２０３’がセッション設定情報データベースを備えない点でも、実施の形態１と異なる。
【０１２９】
［セッション用システムを用いた各種処理方法］
次に、本実施の形態に係るセッション用システムを用いた処理方法について、図１４に基づき以下に説明する。図１４は、セッション用システムのセッション用端末におけるセッションの設定処理の流れを示すフロー図である。尚、以下の説明では、セッションの設定以外は、実施の形態１と同様の処理を行うため、その詳細を省略する。
【０１３０】
図１４に示すように、ユーザーは、ユーザー端末４０からネットワーク３０を介してセッション用端末１０’にアクセスし、セッションの設定登録を行う。ユーザーがユーザー端末４０からネットワーク３０を介してセッション用端末１０’へアクセスすると（Ｓ６０１）、セッション用端末１０’の端末セッション設定部１１０は、ホームページを表示するためのＨＴＭＬ文書のデータを、ユーザー端末４０に送信する。これにより、ユーザー端末４０のディスプレイ等には、セッションの設定を行うためのセッション設定画面ページが表示される。
【０１３１】
セッション設定画面ページでは、セッション設定情報に関する事項が入力可能となる様に表示される。セッション設定情報の詳細については、実施の形態１で述べた通りである。入力後、端末セッション設定部１１０はユーザー端末４０に入力事項の確認画面を送信する（Ｓ６０２）。ユーザーが入力事項を確認し入力漏れや誤記等がなければ、送信ボタンを選択することにより、セッション設定情報のデータが端末受信部１０８で受信される。セッション用端末１０’の端末セッション設定部１１０は、セッション設定情報を受け付けると、記憶１０３’に格納する（Ｓ６０３）。続いて、端末セッション設定部１１０は、セッション設定情報がセッション用端末１０の記憶１０３’に格納されたことをユーザーに通知するため、出力制御部１０６に対し出力を命令する。出力制御部１０６は、この命令に応じて出力部１５に知覚出力を実行させる（Ｓ６０４）。これにより、セッション用端末１０’でのセッションの設定が完了する。
【符号の説明】
【０１３２】
１０、１０’  セッション用端末
１１  ＣＰＵ
１２  ＲＯＭ
１３  通信部
１４  ＲＡＭ
１５  入力部
１６  出力部
１７  電源部
１８  パス
２０、２０’  サーバ
３０  ネットワーク
４０  ユーザー端末
４０ａ  ユーザーコンピュータ
４０ｂ  ユーザー携帯端末
１０１  端末側通信制御部
１０２  端末制御部
１０３、１０３’  記憶部
１０４  初期設定受付部
１０５  入力制御部
１０６  出力制御部
１０７  端末送信部
１０８  端末受信部
１０９  セッション制御部
１１０  端末セッション設定部
２０１  ユーザーインターフェース部
２０２  サーバ制御部
２０３  サーバ記憶部
２０４  ユーザー登録受付部
２０５  セッション設定部
２０６  ワンタイムパスワード等発行部
２０７  ワンタイムパスワード等判定部
２０８  受信部
２０９  送信部
２１０  有用情報生成部
２１１  ユーザー情報データベース
２１２  セッション情報データベース
２１３  セッション設定情報データベース
２１４  使用情報データベース
【図１】
2020088475.tif 000003
【図２】
2020088475.tif 000004
【図３】
2020088475.tif 000005
【図４】
2020088475.tif 000006
【図５】
2020088475.tif 000007
【図６】
2020088475.tif 000008
【図７】
2020088475.tif 000009
【図８】
2020088475.tif 000010
【図９】
2020088475.tif 000011
【図１０】
2020088475.tif 000012
【図１１】
2020088475.tif 000013
【図１２】
2020088475.tif 000014
【図１３】
2020088475.tif 000015
【図１４】
2020088475.tif 000016
【手続補正書】
【提出日】令和2年2月14日(2020.2.14)
【手続補正１】
【補正対象書類名】特許請求の範囲
【補正対象項目名】請求項１
【補正方法】変更
【補正の内容】
【請求項１】
無線によりネットワークに接続するセッション用端末と、
前記セッション用端末に前記ネットワークを介して接続するサーバと、
前記セッション用端末及び前記サーバと、前記ネットワークを介して接続可能なユーザー端末と、
を少なくとも備えるセッション用システムであって、
前記セッション用端末は、
任意のセッションの開始、中断、終了及び再開を実行する入力部と、
ユーザーに前記セッションのための知覚出力を行う出力部と、
前記セッションの開始、中断、終了及び再開に関するセッション情報を、前記ユーザー端末を経由することなく前記サーバに送信する端末制御部とを有し、
前記サーバは、
前記ユーザーがセッションを実行するためのセッション設定情報を格納するサーバ記憶部と、
前記セッション設定情報を前記セッション用端末に送信し、前記セッションの実行に有用な情報を生成するサーバ制御部とを有し、
前記セッション用端末の出力部は、前記入力部からの入力と、前記サーバから受信するセッション設定情報とに基づき知覚出力を行うものであり、
前記サーバ制御部は、前記セッション用端末から受信する前記セッション情報に基づき、前記ユーザーによる前記セッションの実行に有用な情報を生成するものであり、
前記セッション用端末は、前記ユーザーが前記セッション用システムを用いてセッションを実行する間、前記サーバとのみ前記ネットワークを介して接続し、前記ユーザー端末とは通信可能に直接接続しないものであるセッション用システム。
【手続補正２】
【補正対象書類名】特許請求の範囲
【補正対象項目名】請求項２
【補正方法】変更
【補正の内容】
【請求項２】
無線によりネットワークに接続するセッション用端末と、
前記セッション用端末に前記ネットワークを介して接続するサーバと、
前記セッション用端末及び前記サーバと、前記ネットワークを介して接続可能なユーザー端末と、
を少なくとも備えるセッション用システムであって、
前記セッション用端末は、
任意のセッションの開始、中断、終了及び再開を実行する入力部と、
ユーザーに前記セッションのための知覚出力を行う出力部と、
前記セッションの開始、中断、終了及び再開に関するセッション情報を、前記ユーザー端末を経由することなく前記サーバに送信する端末制御部と、
前記ユーザーがセッションを実行するためのセッション設定情報を格納する記憶部とを有し、
前記サーバは、前記セッションの実行に有用な情報を生成するサーバ制御部を有し、
前記セッション用端末の出力部は、前記入力部からの入力と、前記記憶部に格納する前記セッション設定情報とに基づき知覚出力を行うものであり、
前記サーバ制御部は、前記セッション用端末から受信する前記セッション情報に基づき、前記ユーザーによる前記セッションの実行に有用な情報を生成するものであり、
前記セッション用端末は、前記ユーザーが前記セッション用システムを用いてセッションを実行する間、前記サーバ及び前記ユーザー端末と通信可能に接続せず、又は、前記サーバとのみ前記ネットワークを介して接続し、前記ユーザー端末とは通信可能に直接接続しないものであるセッション用システム。
【手続補正３】
【補正対象書類名】特許請求の範囲
【補正対象項目名】請求項６
【補正方法】変更
【補正の内容】
【請求項６】
前記サーバ制御部は、前記セッションの実行に有用な情報を、前記ユーザー端末に送信する請求項１〜５の何れか１項に記載のセッション用システム。
【手続補正４】
【補正対象書類名】特許請求の範囲
【補正対象項目名】請求項９
【補正方法】変更
【補正の内容】
【請求項９】
無線によりネットワークに接続するセッション用端末と、
前記セッション用端末に前記ネットワークを介して接続するサーバと、
前記セッション用端末及び前記サーバと、前記ネットワークを介して接続可能なユーザー端末と、
を備えるセッション用システムを用いたセッション方法であって、
前記サーバは、当該サーバに格納する任意のセッションのためのセッション設定情報を、前記セッション用端末に送信し、
前記セッション用端末は、前記セッションの開始、中断、終了及び再開を実行するためのユーザーによる入力と、前記サーバから受信する前記セッション設定情報とに基づき、当該ユーザーに知覚出力を行い、
さらに、前記セッション用端末は、前記ユーザーによるセッションの終了後に、前記セッションの開始、中断、終了及び再開に関するセッション情報を、前記ユーザー端末を経由することなく前記サーバに送信し、
前記サーバは、前記セッション用端末から受信する前記セッション情報に基づき、前記ユーザーによる前記セッションの実行に有用な情報を生成し、
前記セッション用端末は、前記ユーザーが前記セッション用システムを用いてセッションを実行する間、前記サーバとのみ前記ネットワークを介して接続し、前記ユーザー端末とは通信可能に直接接続しないセッション方法。
【手続補正５】
【補正対象書類名】特許請求の範囲
【補正対象項目名】請求項１０
【補正方法】変更
【補正の内容】
【請求項１０】
無線によりネットワークに接続するセッション用端末と、
前記セッション用端末に前記ネットワークを介して接続するサーバと、
前記セッション用端末及び前記サーバと、前記ネットワークを介して接続可能なユーザー端末と、
を備えるセッション用システムを用いたセッション方法であって、
前記セッション用端末は、当該セッション用端末に格納する任意のセッションのためのセッション設定情報と、当該セッションの開始、中断、終了及び再開を実行するためのユーザーによる入力とに基づき、当該ユーザーに知覚出力を行い、
さらに、前記セッション用端末は、前記ユーザーによるセッションの終了後に、当該セッションの開始、中断、終了及び再開に関するセッション情報を、前記ユーザー端末を経由することなく前記サーバに送信し、
前記サーバは、前記セッション用端末から受信する前記セッション情報に基づき、前記ユーザーによる前記セッションの実行に有用な情報を生成し、
前記セッション用端末は、前記ユーザーが前記セッション用システムを用いてセッションを実行する間、前記サーバ及び前記ユーザー端末と通信可能に接続せず、又は、前記サーバとのみ前記ネットワークを介して接続し、前記ユーザー端末とは通信可能に直接接続しないセッション方法。
【手続補正６】
【補正対象書類名】特許請求の範囲
【補正対象項目名】請求項１３
【補正方法】変更
【補正の内容】
【請求項１３】
前記サーバは、前記セッションの実行に有用な情報を、前記ユーザー端末に送信する請求項９〜１２の何れか１項に記載のセッション方法。